(57)【特許請求の範囲】
【請求項１】
住宅設備機器のキャビネットに引き出し部が引き出し収納自在に設けられ、被乾燥物を収納して乾燥させるための引き出し形乾燥庫であって、
前記キャビネットに設けられたケーシング部と、
このケーシング部に対して引き出し収納自在に設けられ、前記被乾燥物を収納可能な前記引き出し部と、
この引き出し部の上縁部に設けられた第１の棒状体および第２の棒状体と、
前記引き出し部の前方に設けられた前板の後部に位置して形成され、前記第１の棒状体を支持する一対の第１の支持部と、
この一対の第１の支持部より後方に離れた位置に形成され、前記第２の棒状体を前後方向に移動可能に支持する一対の第２の支持部と、
前記引き出し部上縁部の内部に前後方向に形成され、前記第２の棒状体の後方に形成された一対の摺動棒状部を前後方向に摺動可能に支持する一対の支持孔とを備えたことを特徴とする引き出し形乾燥庫。
【請求項２】
請求項１に記載の引き出し形乾燥庫であって、
前記摺動棒状部は、前記第２の支持部に形成され前記支持孔と連通する開口部を通って出没自在であり、
前記第２の棒状体が前方に移動した状態では、前記摺動棒状部の大部分は前記引き出し部上縁部上に露出し、
前記第２の棒状体が最も後方に移動した状態では、前記摺動棒状部のほぼ全部は前記支持孔内に没入していることを特徴とする引き出し形乾燥庫。
【請求項３】
請求項１または２に記載の引き出し形乾燥庫であって、
前記二つの棒状体はそれぞれ針金により一体的に折曲形成されていることを特徴とする引き出し形乾燥庫。
【請求項４】
請求項１ないし３のいずれかの項に記載の前記引き出し形乾燥庫が前記キャビネットに設けられていることを特徴とする引き出し形乾燥庫を有する住宅設備機器。
【発明の詳細な説明】
【技術分野】
【０００１】
本発明は、住宅設備機器のキャビネットに引き出し部が引き出し収納自在に設けられ、被乾燥物を収納して乾燥させるための引き出し形乾燥庫およびこれを有する住宅設備機器に関する。
【背景技術】
【０００２】
システムキッチンなど住宅設備機器には、そのキャビネットに引き出し部を引き出し収納自在に設け、被乾燥物を引き出し部に収納してこれを乾燥させるための引き出し形乾燥庫を備えている場合がある。
たとえば、特許文献１（特開２００６−３４１００４号公報）には、キッチンに設けられた引き出し形の乾燥キャビネットの構造が記載されている。この乾燥キャビネットでは、引き出し前板の上側に横方向に細長く延びるライン型の把手を設け、乾燥機構のためのスイッチユニットと排気ユニットを把手の凹部に組み込んでいる。
【特許文献１】特開２００６−３４１００４号公報
【発明の開示】
【発明が解決しようとする課題】
【０００３】
特許文献１に記載の乾燥キャビネットには、濡れた調理用器具など被乾燥物を収納して乾燥させるが、被乾燥物の一つである布巾など布部材を広げて乾燥させるための配慮はなされていなかった。
【０００４】
本発明は、このような課題を解決するためになされたもので、被乾燥物の一つである布巾など布部材を広げて二つの棒状体で支持することにより迅速に乾燥させることができ、また、二つの棒状体が引き出し部の邪魔になることのない引き出し形乾燥庫およびこれを有する住宅設備機器を提供することを目的とする。
【課題を解決するための手段】
【０００５】
上述の目的を達成するため、本発明にかかる引き出し形乾燥庫は、住宅設備機器のキャビネットに引き出し部が引き出し収納自在に設けられ、被乾燥物を収納して乾燥させるための引き出し形乾燥庫であって、前記キャビネットに設けられたケーシング部と、このケーシング部に対して引き出し収納自在に設けられ、前記被乾燥物を収納可能な前記引き出し部と、この引き出し部の上縁部に設けられた第１の棒状体および第２の棒状体と、前記引き出し部の前方に設けられた前板の後部に位置して形成され、前記第１の棒状体を支持する一対の第１の支持部と、この一対の第１の支持部より後方に離れた位置に形成され、前記第２の棒状体を前後方向に移動可能に支持する一対の第２の支持部と、前記引き出し部上縁部の内部に前後方向に形成され、前記第２の棒状体の後方に形成された一対の摺動棒状部を前後方向に摺動可能に支持する一対の支持孔とを備えている。
好ましくは、前記摺動棒状部は、前記第２の支持部に形成され前記支持孔と連通する開口部を通って出没自在であり、前記第２の棒状体が前方に移動した状態では、前記摺動棒状部の大部分は前記引き出し部上縁部上に露出し、前記第２の棒状体が最も後方に移動した状態では、前記摺動棒状部のほぼ全部は前記支持孔内に没入している。
たとえば、前記二つの棒状体はそれぞれ針金により一体的に折曲形成されている。本発明にかかる住宅設備機器は、前記構成の引き出し形乾燥庫が前記キャビネットに設けられている。
【発明の効果】
【０００６】
本発明にかかる引き出し形乾燥庫およびこれを有する住宅設備機器は、上述のように構成したので、二つの棒状体はほぼ隣接したり互いに離れたりできることになり、二つの棒状体が互いに離れると布部材を広げた状態で支持可能になるので、被乾燥物の一つである布巾など布部材を広げて二つの棒状体で支持することにより迅速に乾燥させることができ、また、二つの棒状体が引き出し部の邪魔になることはない。
【発明を実施するための最良の形態】
【０００７】
下記の実施例にかかる引き出し形乾燥庫は、住宅設備機器のキャビネットに引き出し部が引き出し収納自在に設けられ、被乾燥物を引き出し部に収納して乾燥させる機能を有している。引き出し形乾燥庫は、キャビネットに設けられたケーシング部と、このケーシング部に対して引き出し収納自在に設けられ、被乾燥物を収納可能な引き出し部とを備えている。
そして、引き出し部の上縁部には二つの棒状体を設け、この二つの棒状体のうち少なくとも一つの棒状体を引き出し部上縁部に沿って前後方向に移動可能にして、二つの棒状体がほぼ隣接したり互いに離れたりできるようにしている。二つの棒状体は互いに離れると布部材を広げた状態で支持可能である。
これにより、布部材を広げて二つの棒状体で支持し、こうして広がった布部材を迅速に乾燥させることができ、また、二つの棒状体をほぼ隣接させれば引き出し部の邪魔にならないという目的を実現している。
【０００８】
本発明における住宅設備機器としては、台所に設置されるキッチン（たとえば、複合厨房家具の一種であるシステムキッチン，セクショナルキッチン）、食器や食品などを収納する収納庫、および台所の流し台などの厨房家具が一般的である。
本発明の引き出し形乾燥庫は、洗面化粧台や洗面収納キャビネットなどの洗面機器、およびその他の住宅設備機器にも適用可能である。下記の実施例では、引き出し形乾燥庫をシステムキッチンに設けた場合を例にとって説明する。
【実施例】
【０００９】
以下、本発明にかかる一実施例を、図１ないし図１２を参照して説明する。
図１は、引き出し形乾燥庫を有するシステムキッチンの正面図である。図２，図３は、それぞれ引き出し形乾燥庫を含むキャビネットの正面図，斜視図である。図４は、引き出し形乾燥庫を含むキャビネットの斜視図で、引き出し形乾燥庫の引き出し部を少し引き出した状態を示している。図５は引き出し形乾燥庫の右側面図である。
図６ないし図９は布巾を掛けないときの図で、図６は引き出し部の斜視図、図７は引き出し部の平面図、図８は図７のVIII−VIII線断面図、図９は図７のIX−IX線矢視図である。図１０ないし図１２は布巾を乾燥するときの図で、図１０は引き出し部の斜視図、図１１は引き出し部の平面図、図１２は図１１のXII−XII線断面図である。
なお、説明の便宜上、各図中の矢印Ｄ1，Ｄ2，Ｄ3，Ｄ4で示す各方向を、それぞれシステムキッチンの左方，右方，前方，後方とする。
【００１０】
図１に示すように、住宅設備機器としてのシステムキッチン１０は、台所に設置されており、被乾燥物２を収納して乾燥させるための引き出し形乾燥庫１を有している。システムキッチン１０のキャビネット１１は床面上に設置されている。
キャビネット１１は、コンロキャビネット１２，乾燥庫キャビネット１３，シンクキャビネット１４および調理台キャビネット１５などが順次並設された構成であり、ワークトップ１６が、キャビネット１２〜１５の上部を覆って取付けられている。キャビネット１１には、引き出し形乾燥庫１の引き出し部４の他に各種形状，構造の複数の引き出しが、引き出し収納自在に設けられている。
【００１１】
コンロキャビネット１２には、グリル１７を有するＩＨクッキングヒータや引き出し１８，１９などが設けられて、単体としての厨房家具が構成されている。乾燥庫キャビネット１３は、引き出し形乾燥庫１や引き出し２０，２１などを有して、単体としての厨房家具を構成している。
シンクキャビネット１４の上部のワークトップ１６には、水栓装置やシンクが設けられている。シンクキャビネット１４は、水栓装置，シンクの他に引き出し２２などを有しており、シンクの前面には幕板３１が設けられて、単体としての厨房家具を構成している。
調理台キャビネット１５は、ビルトインにより設けられた食器洗い乾燥機２３と、引き出し２４とを有して、単体としての厨房家具を構成している。
乾燥庫キャビネット１３および調理台キャビネット１５の上部のワークトップ１６は、調理台になっている。こうして、システムキッチン１０は、単体としての厨房家具が複合した複合厨房家具を構成している。
【００１２】
図１ないし図５に示すように、本実施例では、乾燥庫キャビネット１３に引き出し形乾燥庫１が設けられ、この引き出し形乾燥庫１の上部と下部にそれぞれ引き出し２０，２１が配置されている。
引き出し形乾燥庫１は、システムキッチン１０のキャビネット１１に引き出し部４が引き出し収納自在に設けられ、被乾燥物２を引き出し部４に収納して温風５で乾燥させる機能を有している。
食器類は食器洗い乾燥機２３で洗浄，乾燥されるので、引き出し形乾燥庫１で乾燥する被乾燥物２としては、主として、鍋，ボール，レードル，お玉杓子，菜箸など調理用器具や、ナイフ，フォーク，布部材（たとえば、布巾，タオル）などがある。
引き出し形乾燥庫１は、シンクのすぐ近くに配置されているので、シンクで被乾燥物２を洗って軽く水切りした後、すぐ近くの引き出し形乾燥庫１に収納して乾燥することができ、使い勝手がよい。引き出し形乾燥庫１は、本実施例のようにシンクのすぐ近くに配置するのが好ましいが、その他の位置に配置する場合であってもよい。
【００１３】
引き出し形乾燥庫１は、キャビネット１１に設けられ、温風発生部６とその配線６ａが設けられたケーシング部７と、ケーシング部７に対して引き出し収納自在に設けられ、被乾燥物２を収納可能な引き出し部４とを備えている。
本実施例の引き出し形乾燥庫１は、左右方向（矢印Ｄ1，Ｄ2方向）の幅寸法（たとえば、４５０mm）が比較的短いので、長く延びた形状のトレー部などを左右方向に取り付けることはできない。引き出し部４は、前方に位置して固定された前板９を有しており、前板９には排気口２６が形成されている。
【００１４】
ケーシング部７の後部には、温風発生部６が取付けられており、温風発生部６は、送風機３２とヒータ３３を有している。
送風機３２で発生した風が、ヒータ３３を通って温風５となり、この温風５が、引き出し部４の後部に形成された温風入口を通って、引き出し部４の内部スペースに供給されるようになっている。
【００１５】
引き出し形乾燥庫１では、温風発生部６を操作するために配線６ａが接続されたスイッチ部８が、ケーシング部７の前面部に配置されている。スイッチ部８には、温風発生部６の電源をオン・オフする電源スイッチや、温風５の風量，温度などを所定値に切換えるための選択スイッチや、各種表示部などが設けられている。
前板９には、スイッチ部８の取り付け位置（正面から見て、引き出し形乾燥庫１の右上角部）と形状（正面から見て横に長い矩形状）に対応する切り欠き部３０が形成されている。そして、引き出し部４をケーシング部７に収納した状態で、スイッチ部８が切り欠き部３０に係合するようになっている。
【００１６】
図１ないし図１２に示すように、本実施例では、引き出し部４の上縁部４０に二つの棒状体（ここでは、第１の棒状体４１と第２の棒状体４２）を設け、この二つの棒状体４１，４２のうち少なくとも一つの棒状体（ここでは、第２の棒状体４２）を、引き出し部上縁部４０に沿って前後方向（矢印Ｄ3，Ｄ4方向）に移動可能にしている。
そして、二つの棒状体４１，４２が、ほぼ隣接したり（図６〜図９）、互いに離れたりできるようにしている（図１０〜図１２）。二つの棒状体４１，４２は、互いに離れると、被乾燥物の一つである布巾４３など布部材を広げた状態で支持可能である。
これにより、布巾４３など布部材を広げて二つの棒状体４１，４２で支持することができる。こうして広がった布部材に温風５を当てれば、温風５は布部材の全体に行き渡って接触するので、布部材を温風５で迅速に乾燥させることができる。
二つの棒状体４１，４２は、ほぼ隣接させれば引き出し部４に対して被乾燥物を出し入れするときの邪魔になることはない。二つの棒状体４１，４２で広げて乾燥される布部材としては、布巾４３の他に、タオルなどであってもよい。
【００１７】
引き出し部４の上縁部４０には、引き出し部４の前板９のすぐ後部に位置する一対の第１の支持部４４と、一対の第１の支持部４４より後方に所定距離離れて位置する一対の第２の支持部４５とが形成されている。
二つの棒状体４１，４２のうち第１の棒状体４１は、一対の第１の支持部４４により支持されている。二つの棒状体４１，４２のうち第２の棒状体４２は、前後方向（矢印Ｄ3，Ｄ4方向）に移動可能になっている。第２の棒状体４２は、一対の第２の支持部４５に支持されるとともに後方への移動位置が規制されている。
第２の棒状体４２には、一対の摺動棒状部４６が後方に延びて一体形成されている。一対の摺動棒状部４６は、引き出し部上縁部４０の内部に前後方向に形成された一対の支持孔４７にそれぞれ支持されて、前後方向に摺動可能になっている。
【００１８】
これにより、第２の棒状体４２は、所定のストロークＳの範囲内で前後方向の任意の位置に移動可能である。そして、第２の棒状体４２を最も前方に移動させれば、第２の棒状体４２は第１の棒状体４１とほぼ隣接するので、引き出し部４に対する被乾燥物２の出し入れの邪魔にはならない。
また、第２の棒状体４２を後方に押せば、最も後方に移動する位置が第２の支持部４５により規制される。こうして、第２の棒状体４２を後方に位置させれば、布巾４３など布部材を、第１の棒状体４１と第２の棒状体４２に掛け渡して広げることができる。
布巾４３は、二つの棒状体４１，４２により、しわなどがよらず安定的に広がった状態で支持されるので、温風５が布巾４３の全体に行き渡って接触し、この布巾４３を温風５で迅速に乾燥させることができる。
【００１９】
第１の棒状体４１は、左右方向（矢印Ｄ1，Ｄ2方向）に延びて布巾４３を掛けることのできる水平部５０と、水平部５０の左右両端で折曲形成されて傾斜し、第１の支持部４４に係合する一対の立ち上がり部５１とにより構成されている。
第２の棒状体４２は、左右方向に水平に延びて布巾４３を掛けるための水平部５２と、水平部５２の左右両端で折曲形成されて傾斜し、水平部５２の高さ位置から引き出し部上縁部４０の高さ位置まで傾斜する一対の立ち上がり部５３と、立ち上がり部５３の下端部で一体的に折曲形成されて後方に延びた一対の摺動棒状部４６とにより構成されている。
二つの棒状体４１，４２の全体は、針金（好ましくは、ステンレス製針金）により一体的に折曲形成されているので、製造，取付けが容易であり、また、平面視断面も小さいので引き出し部４に対する被乾燥物２の出し入れの邪魔にならない。なお、二つの棒状体４１，４２は、針金の代わりに棒状の合成樹脂により一体形成してもよい。
【００２０】
第１の棒状体４１は、一対の第１の支持部４４を中心として揺動可能であり、また、前方に傾いた状態で位置決め保持されるようになっている。第１の棒状体４１を揺動可能にしたのは二つの理由がある。
第１の理由は、第１の棒状体４１が、引き出し部４に収納される被乾燥物２と接触するような場合に、第１の棒状体４１を揺動させてその位置を変えることにより、被収納物２の収納の邪魔にならないようにするためである。
また、第２の理由は、引き出し部４内部の下部前方位置（すなわち、第１の棒状体４１の下方位置）には、布巾４３や被乾燥物２に付着していた水滴を集めて溜めるための水受けトレーが着脱可能に装着されているが、この水受けトレーを引き出し部４から取外したり取付けたりするときに、第１の棒状部４１を揺動させて、作業の邪魔にならない位置まで移動させるためである。
【００２１】
第２の棒状体４２は、前後方向に往復直線運動を行なって、引き出し部４に対してスライドする。第２の棒状体４２の摺動棒状部４６は、第２の支持部４５に形成され支持孔４７と連通する開口部５４を通って、出没自在になっている。
第２の棒状体４２が最も前方に移動した状態では、摺動棒状部４６の大部分は引き出し部上縁部４６上に露出している。第２の棒状体４２が最も後方に移動した状態では、摺動棒状部４６のほぼ全部は支持孔４７内に没入している。
このように、第２の棒状体４２は、摺動棒状部４６が内蔵形なので、引き出し部４の邪魔にならない。すなわち、第２の棒状体４２の摺動棒状部４６は、支持孔４７内を摺動するとともに引き出し部上縁部４０上をスライドするので、第２の棒状体４２のための新たなスペースが不要であり、第２の棒状体４２が引き出し部４の邪魔になる恐れはほとんどない。
こうして、システムキッチン１は、キャビネット１１に設けられた上述の構成の引き出し形乾燥庫１を有している。
【００２２】
上述の引き出し形乾燥庫１を使用して布巾４３などを乾燥するときには、第２の棒状体４２を後方に位置させ、布巾４３を二つの棒状体４１，４２に掛け渡して広げた状態で、引き出し部４をケーシング部７に収納する。
そして、スイッチ部８を操作して温風発生部６を運転すれば、温風発生部６の送風機３２とヒータ３３により発生した温風５が、引き出し部４の後部に形成された温風入口から、引き出し部４内に流れ込む。
すると、温風５は、引き出し部４に収納されている被乾燥物２に接触して乾燥させた後、被乾燥物２から蒸発した水蒸気と一緒になって、ケーシング部７で囲まれた内部スペースを通り、前板９に形成された排気口２６から外部に排出される。
また、引き出し部４の内部を通った温風５は、二つの棒状体４１，４２により広げられている布巾４３を、その下面から上面に通過して乾燥させる（図１２）。布巾４３で発生した水蒸気は、上述と同様にケーシング部７の内部スペースを流れた後、排気口２６から外部に排出される。
【００２３】
システムキッチン１０に引き出し形乾燥庫１を設けたので、洗い終わった調理用器具などがワークトップ１６の上などに露出することがなくなり、システムキッチン１０の周囲が乱雑にならない。
特に、対面形のシステムキッチン１０においては、その周囲を常に乱雑にならずすっきりした清潔な状態に保つことができる。
【００２４】
以上、本発明の実施例を説明したが、本発明は上述の実施例に限定されるものではなく、本発明の要旨の範囲で種々の変形，付加などが可能である。
なお、各図中同一符号は同一または相当部分を示す。
【産業上の利用可能性】
【００２５】
本発明は、システムキッチンや収納庫など住宅設備機器のキャビネットに設けられる引き出し形乾燥庫に適用可能である。
【図面の簡単な説明】
【００２６】
【図１】図１ないし図１２は本発明の一実施例を示す図で、図１は、引き出し形乾燥庫を有するシステムキッチンの平面図である。
【図２】引き出し形乾燥庫を含むキャビネットの正面図である。
【図３】引き出し形乾燥庫を含むキャビネットの斜視図である。
【図４】引き出し形乾燥庫を含むキャビネットの斜視図で、引き出し形乾燥庫の引き出し部を少し引き出した状態を示している。
【図５】引き出し形乾燥庫の右側面図である。
【図６】図６ないし図９は布巾を掛けないときの図で、図６は、引き出し部の斜視図である。
【図７】引き出し部の平面図である。
【図８】図７のVIII−VIII線断面図である。
【図９】図７のIX−IX線矢視図である。
【図１０】図１０ないし図１２は布巾を乾燥するときの図で、図１０は引き出し部の斜視図である。
【図１１】引き出し部の平面図である。
【図１２】図１１のXII−XII線断面図である。
【符号の説明】
【００２７】
１    引き出し形乾燥庫
２    被乾燥物
４    引き出し部
７    ケーシング部
９    前板
１０  システムキッチン（住宅設備機器）
１１  キャビネット
４０  上縁部
４１  第１の棒状体（棒状体）
４２  第２の棒状体（棒状体）
４３  布巾（布部材）
４４  第１の支持部
４５  第２の支持部
４６  摺動棒状部
４７  支持孔
５４  開口部
【図１】
0005165941.tif 000002
【図２】
0005165941.tif 000003
【図３】
0005165941.tif 000004
【図４】
0005165941.tif 000005
【図５】
0005165941.tif 000006
【図６】
0005165941.tif 000007
【図７】
0005165941.tif 000008
【図８】
0005165941.tif 000009
【図９】
0005165941.tif 000010
【図１０】
0005165941.tif 000011
【図１１】
0005165941.tif 000012
【図１２】
0005165941.tif 000013